(57)【要約】【課題】立体的な模様が付与されており、従って独創的でかつ意匠性が高められており、さらに立体的な模様を付与している模様部材を覆っているフィルムにおいてシワなどの発生が抑制されたアクセサリを提供する。【解決手段】底部材２と、側壁２ａを抱くように被せられ、かつかしめ付けられている蓋部材３と、アクセサリ１に立体的な模様を付与している模様部材４、５と、蓋部材３と模様部材４、５とを覆っているカバーフィルム６とを備え、カバーフィルム６が、模様部材４、５を覆っている柔軟性フィルム７と、柔軟性フィルム７よりも相対的に硬く、かつ蓋部材３の表面３ｂの外周縁及び外周壁３ａを覆っているリング状フィルム８とからなり、柔軟性フィルム７が模様部材４、５を覆っていることによって、柔軟性フィルム７の表面の一部の領域に隆起した隆起部７ａ、７ｂが形成されている、アクセサリ１。【選択図】図１
2007289212.tif 000002
【特許請求の範囲】
【請求項１】
外周縁に立上がった側壁を有する底部材と、
前記底部材の側壁を抱くように被せられ、かつかしめ付けられている外周壁を有する蓋部材と、
前記蓋部材の表面側の少なくとも一部の領域に配置されており、かつアクセサリに立体的な模様を付与している模様部材と、
前記蓋部材の表面および外周壁と前記模様部材とを覆うように配置されており、かつ前記底部材と前記蓋部材との間に周辺部が挟持されているカバーフィルムとを備え、
前記カバーフィルムが、前記模様部材を覆っている柔軟性フィルムと、前記柔軟性フィルムよりも相対的に硬く、かつ前記蓋部材の表面の外周縁及び外周壁を覆っているリング状フィルムとからなり、
前記柔軟性フィルムが前記模様部材を覆っていることによって、前記柔軟性フィルムの表面の一部の領域に隆起した隆起部が形成されていることを特徴とする、アクセサリ。
【請求項２】
前記蓋部材の表面と前記模様部材との間に配置されており、かつ前記底部材と前記蓋部材との間に周辺部が挟持されている土台紙をさらに備える、請求項１に記載のアクセサリ。
【請求項３】
前記柔軟性フィルムが伸縮可能な柔軟性フィルムである、請求項１または２に記載のアクセサリ。
【請求項４】
前記柔軟性フィルムがポリウレタン樹脂フィルムである、請求項１〜３のいずれか１項に記載のアクセサリ。
【請求項５】
前記リング状フィルムが紙からなる、請求項１〜４のいずれか１項に記載のアクセサリ。
【請求項６】
前記カバーフィルムとして、前記柔軟性フィルムと前記リング状フィルムとが一体化されたカバーフィルムが用いられている、請求項１〜５のいずれか１項に記載のアクセサリ。
【請求項７】
前記底部材および前記蓋部材の少なくとも一方に固定されており、装着対象部分に取付けるための装着手段をさらに備える、請求項１〜６のいずれか１項に記載のアクセサリ。
【請求項８】
外周縁に立上がった側壁を有する底部材と、一方面側に伸びる外周壁を有する蓋部材と、アクセサリに立体的な模様を付与する模様部材と、前記模様部材を覆うための柔軟性フィルム、および前記柔軟性フィルムよりも相対的に硬く、かつ前記蓋部材の表面の外周縁及び外周壁を覆うためのリング状フィルムからなるカバーフィルムとを用意する工程と、
前記底部材の側壁の外周面と前記蓋部材の外周壁の内周面とが対向するように、前記底部材と前記蓋部材とを配置する工程と、
前記底部材が配置されている側とは反対側の前記蓋部材の表面側の少なくとも一部の領域に、前記模様部材を配置する工程と、
前記柔軟性フィルムが前記蓋部材の表面の模様部材を覆うように、かつ前記リング状フィルムが前記蓋部材の表面の外周縁を覆うように、前記カバーフィルムを配置する工程と、
前記蓋部材の外周壁と前記カバーフィルムの周辺部とを変形し、前記リング状フィルムが前記蓋部材の外周壁を覆うように、かつ前記底部材と前記蓋部材との間に前記カバーフィルムの周辺部が挟持されるように、前記蓋部材の外周壁を前記底部材にかしめ付けて、前記柔軟性フィルムで前記模様部材を覆い、前記柔軟性フィルムの表面の一部の領域に隆起した隆起部を形成する工程とを備えることを特徴とする、アクセサリの製造方法。
【発明の詳細な説明】
【技術分野】
【０００１】
本発明は、例えば衣類やバッグなどに取付けられるバッジや、キーホルダー等のアクセサリに関し、特に紙巻バッジと称されている形式のバッジを含むアクセサリ及び該アクセサリの製造方法に関する。
【背景技術】
【０００２】
従来より、紙巻バッジと称されているバッジが、衣類やバッグなどを装飾するのに用いられている。下記の特許文献１には、従来の紙巻バッジと称されているバッジの一例が開示されている。図７は、この従来のバッジの加工前の構成部品を分解して示す斜視図であり、図８はこのバッジの断面図である。
【０００３】
図７、８に示すように、バッジ１０１では、金属板を皿状に加工してなる底部材１０２と、底部材１０２に被せられる蓋部材１０３とを組合せることにより、基本形状が付与されている。
【０００４】
蓋部材１０３の表面を覆うように、模様台紙１０４が取付けられている。模様台紙１０４は、このバッジ１０１に模様を付与するものであり、表面側に図示のような模様１０４ａが印刷・手書き・写真等により構成されている。模様台紙１０４は、紙で構成されているので、該模様台紙１０４を保護するために、透明フィルム１０５が模様台紙１０４を覆うように配置されている。
【０００５】
底部材１０２の底面側には、衣類やバッグ等の装着対象物にバッジ１０１を取付けるための安全ピン１０６が取付けられている。
【０００６】
バッジ１０１の組立てに際しては、底部材１０２の側壁１０２ａを、蓋部材１０３の外周壁１０３ａで抱くように蓋部材１０３の外周壁１０３ａをかしめ付ける。このかしめ付けに際し、側壁１０２ａと外周壁１０３ａとの間に模様台紙１０４及び透明フィルム１０５の周辺部を挟持する。従って、図８に示すように、模様台紙１０４及び透明フィルム１０５は、蓋部材１０３の表面側に密着した状態で取付けられる。
【０００７】
バッジ１０１の組立ては、特許文献１に開示されているアクセサリ製造装置によって、極めて容易に、かつ簡単に行うことができる。よって、バッジ１０１では、いわゆる缶バッジと異なり、好みの模様台紙１０４を用意するだけで、好みのバッジを簡単に得ることができる。従って、個人の好みに応じた種々のデザインを付したバッジを容易に得ることができ、この世に二つとない独創的なデザインを付与したものを得ることができる。
【特許文献１】特開昭５８−２１８９０６号公報
【発明の開示】
【発明が解決しようとする課題】
【０００８】
特許文献１に記載のバッジ１０１では、模様台紙１０４として、写真や、好みのデザインを表した台紙を用いることにより、個人の好み・趣味に合致した独創的なバッジを得ることができる。
【０００９】
しかしながら、模様台紙１０４では、紙の表面に印刷・手書き・写真等により模様１０４ａが構成されており、模様１０４ａは平面的なデザインを有するものに限られていた。従って、デザイン選択の範囲には限度があり、より斬新なデザイン、例えば立体的な模様を付与されたバッジが強く要望されていた。
【００１０】
立体的な模様を付与するためには、例えば特許文献１に記載のようなバッジにおいて、立体的な表面形状を有する模様台紙や、例えば押し花などとするために厚みの厚い部分と薄い部分とを有する花などの物体を、蓋部材１０３と透明シート１０５との間に配置することが考えられる。しかしながら、このような立体的な模様を付与されたバッジでは、立体的な表面形状を有する模様台紙や花などの物体によって透明シート１０５の表面の一部の領域が隆起し、透明シート１０５にシワが生じがちであった。透明シート１０５にシワがあると、立体的な模様をバッジに付与したとしても、シワも視認されるため、意匠的効果を十分に高めることができなった。
【００１１】
本発明の目的は、上述した従来技術の現状に鑑み、例えば紙巻バッジと称されている形式のアクセサリであって、立体的な模様が付与されており、従って独創的でかつ意匠性が高められており、さらに立体的な模様を付与している模様部材を覆っているフィルムにおいてシワなどの発生が抑制されたアクセサリ及び該アクセサリの製造方法を提供することにある。
【課題を解決するための手段】
【００１２】
第１の発明に係るアクセサリは、外周縁に立上がった側壁を有する底部材と、底部材の側壁を抱くように被せられ、かつかしめ付けられている外周壁を有する蓋部材と、蓋部材の表面側の少なくとも一部の領域に配置されており、かつアクセサリに立体的な模様を付与している模様部材と、蓋部材の表面および外周壁と模様部材とを覆うように配置されており、かつ底部材と蓋部材との間に周辺部が挟持されているカバーフィルムとを備え、カバーフィルムが、模様部材を覆っている柔軟性フィルムと、柔軟性フィルムよりも相対的に硬く、かつ蓋部材の表面の外周縁及び外周壁を覆っているリング状フィルムとからなり、柔軟性フィルムが模様部材を覆っていることによって、柔軟性フィルムの表面の一部の領域に隆起した隆起部が形成されていることを特徴とする。
【００１３】
第１の発明に係るアクセサリのある特定の局面では、蓋部材の表面と模様部材との間に配置されており、かつ底部材と蓋部材との間に周辺部が挟持されている土台紙をさらに備えている。
【００１４】
第１の発明に係るアクセサリの他の特定の局面では、柔軟性フィルムは伸縮可能な柔軟性フィルムである。
【００１５】
第１の発明に係るアクセサリのさらに他の特定の局面では、柔軟性フィルムはポリウレタン樹脂フィルムである。
【００１６】
第１の発明に係るアクセサリのさらに他の特定の局面では、リング状フィルムは紙からなる。
【００１７】
第１の発明に係るアクセサリのさらに他の特定の局面では、カバーフィルムとして、柔軟性フィルムとリング状フィルムとが一体化されたカバーフィルムが用いられている。
【００１８】
第１の発明に係るアクセサリのさらに別の特定の局面では、底部材および蓋部材の少なくとも一方に固定されており、装着対象部分に取付けるための装着手段をさらに備えている。
【００１９】
第２の発明に係るアクセサリの製造方法は、外周縁に立上がった側壁を有する底部材と、一方面側に伸びる外周壁を有する蓋部材と、アクセサリに立体的な模様を付与する模様部材と、模様部材を覆うための柔軟性フィルム、および柔軟性フィルムよりも相対的に硬く、かつ蓋部材の表面の外周縁及び外周壁を覆うためのリング状フィルムからなるカバーフィルムとを用意する工程と、底部材の側壁の外周面と蓋部材の外周壁の内周面とが対向するように、底部材と蓋部材とを配置する工程と、底部材が配置されている側とは反対側の蓋部材の表面側の少なくとも一部の領域に、模様部材を配置する工程と、柔軟性フィルムが蓋部材の表面の模様部材を覆うように、かつリング状フィルムが蓋部材の表面の外周縁を覆うように、カバーフィルムを配置する工程と、蓋部材の外周壁とカバーフィルムの周辺部とを変形し、リング状フィルムが蓋部材の外周壁を覆うように、かつ底部材と蓋部材との間にカバーフィルムの周辺部が挟持されるように、蓋部材の外周壁を底部材にかしめ付けて、柔軟性フィルムで模様部材を覆い、柔軟性フィルムの表面の一部の領域に隆起した隆起部を形成する工程とを備えることを特徴とする。
【発明の効果】
【００２０】
本発明に係るアクセサリでは、カバーフィルムが、模様部材を覆っている柔軟性フィルムと、柔軟性フィルムよりも相対的に硬く、かつ蓋部材の表面の外周縁及び外周壁を覆っているリング状フィルムとからなるので、模様部材とカバーフィルムとを蓋部材の表面側に密着した状態で取付けることができる。
【００２１】
さらに、本発明では、柔軟性フィルムが模様部材を覆っていることによって、柔軟性フィルムの表面の一部の領域に隆起した隆起部が形成されているが、上記特定のカバーフィルムを用いているため、カバーフィルムのシワの発生、特に柔軟性フィルムの隆起部近傍でのシワの発生が抑制されている。よって、立体的な模様を付与し得る模様部材を用いても、シワの発生を抑制することができるので、デザインを幅広く選択することができ、独創的でかつ意匠性が高められたアクセサリを提供することができる。
【００２２】
蓋部材の表面と模様部材との間に配置されており、かつ底部材と蓋部材との間に周辺部が挟持されている土台紙をさらに備える場合には、蓋部材に対する模様部材の密着性が高められ、模様部材が損傷したり、位置ずれするのを防止することができる。
【００２３】
柔軟性フィルムが伸縮可能な柔軟性フィルムである場合には、模様部材に対する柔軟性フィルムの追従性が高められる。よって、立体的な模様を付与している模様部材を柔軟性フィルムが覆っていることによって、カバーフィルムのシワの発生を効果的に抑制することができる。
【００２４】
柔軟性フィルムがポリウレタン樹脂フィルムである場合には、模様部材及びカバーフィルムと蓋部材との密着性をより一層高めることができる。さらに、ポリウレタン樹脂フィルムは柔軟性に非常に優れており、柔軟性フィルムの模様部材に対する追従性がより一層高められる。よって、カバーフィルムのシワの発生をより一層効果的に抑制することができる。
【００２５】
リング状フィルムが紙からなる場合には、リング状フィルムによって、模様部材及びカバーフィルムの蓋部材への密着性をさらに一層高めることができる。よって、カバーフィルムのシワの発生をさらに一層効果的に抑制することができる。
【００２６】
カバーフィルムとして、柔軟性フィルムとリング状フィルムとが一体化されたカバーフィルムが用いられている場合には、柔軟性フィルムとリング状フィルムとの接触面、すなわち蓋部材の表面の外周縁付近におけるシワの発生を効果的に抑制することができる。
【００２７】
底部材および蓋部材の少なくとも一方に固定されており、装着対象部分に取付けるための装着手段をさらに備える場合には、例えば安全ピンなどの装着手段によって、衣類やバッグ等に容易に取付けることが可能なアクセサリを提供することができる。
【００２８】
本発明に係るアクセサリの製造方法では、アクセサリに立体的な模様を付与する模様部材と、上記特定のカバーフィルムとが用いられ、さらに蓋部材の外周壁とカバーフィルムの周辺部とを変形し、リング状フィルムが蓋部材の外周壁を覆うように、かつ底部材と蓋部材との間にカバーフィルムの周辺部が挟持されるように、蓋部材の外周壁を底部材にかしめ付けて、柔軟性フィルムで模様部材を覆い、柔軟性フィルムの表面の一部の領域に隆起した隆起部を形成する工程を備えているため、隆起部においてシワの発生を抑制することができる。よって、本発明では、立体的な模様を付与し得る模様部材を用いても、シワの発生を抑制することができるので、デザイン選択の幅が広くなり、独創的でかつ意匠性が高められたアクセサリを提供することができる。
【発明を実施するための最良の形態】
【００２９】
以下、本発明の詳細を説明する。
【００３０】
図１（ａ）に、本発明の一実施形態に係るアクセサリとしてのバッジを断面図で示し、図１（ｂ）及び図１（ｃ）に、図１（ａ）に示したバッジを斜視図で示す。図２に、図１（ａ）〜（ｃ）に示すバッジを組立てる前の各構成部材の形状を分解斜視図で示す。
【００３１】
図１（ａ）〜（ｃ）、及び図２に示すように、バッジ１においても従来の紙巻バッジと同様に、外周縁に立上がった側壁２ａを有する底部材２と、底部材２側に伸びる外周壁３ａを有する蓋部材３とを組合せることにより、基本的形状が構成されている。
【００３２】
バッジ１では、いずれも金属板を図示のような皿状の形状に加工することにより、底部材２及び蓋部材３を形成している。底部材２及び蓋部材３としては、金属板に限られず、合成樹脂などを所定の形状に成形したものを用いることもできる。なお、図１（ｃ）に示すように、底部材２の底面２ｂ側には、安全ピン９が取付けられている。
【００３３】
蓋部材３の表面３ｂ側には、アクセサリに立体的な模様を付与している複数の模様部材４、５が配置されている。本実施形態では、模様部材４、５として花を用いており、該花は厚みの厚い雌しべなどからなる肉厚部４ａ、５ａと、肉厚部４ａ、５ａよりも厚みの薄い花弁からなる肉薄部４ｂ、５ｂとを有する。バッジ１では、模様部材４、５が押し花とされ、模様部材４、５によりバッジ１に立体的な模様が付与されている。
【００３４】
なお、本実施形態では、蓋部材３の表面３ｂに土台紙１０が配置されており、該土台紙１０の表面１０ａに模様部材４、５が配置されている。土台紙１０は、蓋部材３よりも大きな外径を有する。土台紙１０は、蓋部材３に模様部材４、５を密着して固定したり、模様部材４、５を保護するために設けられている。蓋部材に対する模様部材の密着性が高められるので、蓋部材の表面と模様部材との間に配置されており、かつ底部材と蓋部材との間に周辺部が挟持されている土台紙がさらに備えられていることが好ましい。もっとも、土台紙１０は必ずしも設けられていなくてもよい。
【００３５】
上記土台紙としては、特に限定されないが、例えばコピー用紙、和紙等の紙や適宜の合成樹脂フィルムが挙げられる。また、土台紙として、何らかの模様が付与されており、模様部材と組合わさって新たな模様を構成するものを用いてもよい。
【００３６】
バッジ１では、模様部材４、５は、蓋部材の表面３ｂ側の一部の領域に配置されている。模様部材は蓋部材の表面側の少なくとも一部に配置されていればよく、模様部材は蓋部材の表面側全体に配置されていてもよい。さらに、模様部材は蓋部材の表面および外周壁を覆うような大きさであってもよく、この場合、蓋部材の外周壁を底部材の側壁にかしめ付けることによって、模様部材の周辺部が底部材と蓋部材との間に挟持されていてもよい。
【００３７】
模様部材４、５の表面側には、カバーフィルム６が配置されている。カバーフィルム６は、蓋部材３の表面３ｂに模様部材４、５を密着して固定したり、模様部材４、５を保護するために設けられている。
【００３８】
カバーフィルム６は、模様部材４、５を覆っている柔軟性フィルム７と、蓋部材３の表面３ｂの外周縁及び蓋部材３の外周壁３ａを覆っているリング状フィルム８とからなる。リング状フィルム８は、リング状の形状を有し、柔軟性フィルム７よりも相対的に硬い性質を有する。
【００３９】
柔軟性フィルム７及びリング状フィルム８は、ほぼ等しい外径を有し、蓋部材３よりも大きな外径を有する。カバーフィルム６では、柔軟性フィルム７の蓋部材３側の周辺部にリング状フィルム８が蒸着され、柔軟性フィルム７とリング状フィルム８とが一体化されている。すなわち、バッジ１では、カバーフィルム６として、柔軟性フィルム７とリング状フィルム８とが一体化されたカバーフィルムを用いている。このように、柔軟性フィルムとリング状フィルムとが一体化されたカバーフィルムを用いることが好ましい。一体化されたカバーフィルムを用いると、柔軟性フィルムとリング状フィルムとの接着面、すなわち蓋部材の表面の外周縁付近におけるシワの発生を効果的に抑制することができる。
【００４０】
柔軟性フィルムとリング状フィルムとが接着剤等を用いて接着され、一体化されたカバーフィルムを用いてもよい。また、柔軟性フィルムとリング状フィルムとが一体化されたカバーフィルムを用いずに、別部材としての柔軟性フィルムとリング状フィルムとを用いてカバーフィルムが構成されていてもよい。
【００４１】
バッジ１では柔軟性フィルム７として、伸縮可能な柔軟性フィルムであるポリウレタン樹脂フィルムを用いている。柔軟性フィルムとしては、特に限定されないが、模様部材に対する柔軟性フィルムの追従性が高められるので、伸縮可能な柔軟性フィルムを用いることが好ましい。柔軟性フィルムとしては、模様部材及びカバーフィルムと蓋部材との密着性を高めることができるので、ポリウレタン樹脂フィルムを用いることがさらに好ましい。
【００４２】
上記柔軟性フィルムとしては、模様部材によって付与された立体的な模様を外観上視認し得るものであれば、特に限定されず、透明又は半透明の無色または有色のフィルムを用いることができる。さらに、柔軟性フィルムとして、何らかの模様が付与されており、模様部材と組合わさって新たな模様を構成するものを用いることもできる。なお、模様部材の損傷や汚染を防止できるので、柔軟性フィルムは耐水性を有することが好ましい。
【００４３】
上記柔軟性フィルムの厚みとしては、模様部材に対する柔軟性フィルムの追従性を高めることができ、柔軟性フィルムのシワの発生を抑制し得るので、５０〜１００μｍの範囲が好ましく、さらに好ましくは１００μｍ程度である。
【００４４】
上記リング状フィルムとしては、柔軟性フィルムよりも相対的に硬いものであれば、特に限定されない。模様部材及びカバーフィルムと蓋部材との密着性を高めることができ、柔軟性フィルムのシワの発生を抑制し得るので、リング状フィルムは紙からなることが好ましい。
【００４５】
上記リング状フィルムとしては、特に限定されず、透明、半透明または不透明の無色または有色のフィルムを用いることができる。さらに、リング状フィルムとしては、何らかの模様が付与されており、模様部材と組合わさって新たな模様を構成するものを用いることもできる。なお、模様部材の損傷や汚染を防止できるので、リング状フィルムは耐水性を有することが好ましい。
【００４６】
上記リング状フィルムの厚みは、使用する模様部材の厚みによって適宜設定することができ、特に限定されるものではない。リング状フィルムの厚みは、模様部材及びカバーフィルムと蓋部材との密着性が高められるので、５０〜１００μｍの範囲が好ましい。
【００４７】
図１（ａ）に示すように、土台紙１０の周辺部及びカバーフィルム６の周辺部は、蓋部材３の外周壁３ａが底部材２の側壁２ａにかしめ付けられていることによって、両者の間に挟持されて固定されている。さらに、柔軟性フィルム７が模様部材４、５を覆っていることによって、バッジ１では、柔軟性フィルム７の表面の一部の領域に隆起した隆起部７ａ、７ｂが形成されている。すなわち、花からなる模様部材４、５は厚みの厚い肉厚部４ａ、５ａと、肉厚部４ａ、５ａよりも厚みの薄い肉薄部４ｂ、５ｂとを有するが、肉厚部４ａ、５ａによって柔軟性フィルム７が隆起しており、模様部材４、５の立体的形状に応じた形状の隆起部７ａ、７ｂが形成されている。このように、柔軟性フィルム７が模様部材４、５の立体的形状に応じた形状を有する隆起部７ａ、７ｂを有することが好ましい。
【００４８】
本発明の特徴は、柔軟性フィルム７が立体的な模様を付与している模様部材４、５を覆っており、リング状フィルム８が蓋部材３の表面３ｂの外周縁及び外周壁３ａを覆っており、かつ柔軟性フィルム７の表面の一部の領域に隆起した隆起部７ａ、７ｂが形成されていることにある。
【００４９】
柔軟性フィルム７が立体的な模様を付与している模様部材４、５を覆っており、リング状フィルム８が蓋部材３の表面３ｂの外周縁及び外周壁３ａを覆っていることによって、模様部材４、５及びカバーフィルム６の蓋部材３の表面３ｂに対する密着性を高めることができる。さらに、カバーフィルム６が上記構成からなるので、バッジ１が柔軟性フィルム７の表面の一部の領域に隆起した隆起部７ａ、７ｂが形成されていても、カバーフィルム６のシワの発生、特に柔軟性フィルム７の隆起部７ａ、７ｂ近傍でのシワの発生を抑制することができる。よって、立体的な模様を付与し得る模様部材を用いても、シワの発生を抑制することができるので、デザインを幅広く選択することができ、独創的でかつ意匠性が高められたアクセサリを提供することができる。
【００５０】
なお、上述したバッジ１において、柔軟性フィルム７の隆起部の形状が異なる変形例を図３に断面図で示す。柔軟性フィルム７は、模様部材４、５の肉薄部４ｂ、５ｂと必ずしも密着している必要はなく、例えば肉厚部４ａと肉厚部５ａとの間において、柔軟性フィルム７と肉薄部４ｂ、５ｂ、あるいは柔軟性フィルム７と蓋部材３の表面３ｂ側の土台紙１０の表面１０ａとが一定間隔を隔てられていてもよい。すなわち、図３に示すように、柔軟性フィルム７の表面の一部の領域に隆起した隆起部７Ａが形成されていればよい。
【００５１】
一方、従来のバッジでは、模様部材を覆うために、例えばポリエステルなどからなるカバーフィルムが単独で用いられていた。このような従来のカバーフィルムが用いて上述の立体的な模様を付与する模様部材４、５を覆った場合には、カバーフィルムにシワが発生し易かった。
【００５２】
すなわち、図６に斜視図で示すように、このような従来のカバーフィルム５１を用いて模様部材４、５を覆った場合には、例えば肉厚部４ａ、５ａによってカバーフィルム５１に隆起した隆起部５１ａ、５１ｂが形成されることになるが、この隆起部５１ａ、５１ｂ近傍においてシワ５２、５３が発生し易かった。また、蓋部材３の外周壁３ａと表面３ｂとの境界、すなわちカバーフィルム５１の折り曲げ部分においてもカバーフィルム５１にシワ５４が発生し易かった。さらに、模様部材４、５及びカバーフィルム５１の蓋部材３に対する密着性に劣りがちであった。本発明では、このようなシワの発生を抑制することができ、模様部材及びカバーフィルムの蓋部材に対する密着性を高めることができる。
【００５３】
なお、バッジ１の装着に際しては、底部材２の底面２ｂ側に取付けられた装着手段としての安全ピン９を用いて、衣類やバッグ等に取付けることができる。すなわち、図１（ｃ）に示すように、底部材２の底面２ｂ側には、底部材２の一部を切り起こし、切り起こされた金属片２ｃにかしめられるようにして、安全ピン９が固定されている。
【００５４】
安全ピンなどの装着手段は、必要に応じて設けられていればよく、従って必ずしも設けられていなくてもよい。また、安全ピンに代えて、クリップ等を底部材に固定することも可能である。さらに、クリップと安全ピンとを併用してもよい。
【００５５】
次に、図２を用いて、本発明の一実施形態に係るバッジ１の製造方法を説明する。
【００５６】
バッジ１の組立ては、例えば特開平５８−２１８９０６号公報に開示されているアクセサリ製造装置を用いて、極めて容易に、かつ簡便に行うことができる。
【００５７】
先ず、底部材２の側壁２ａの外周面と蓋部材３の外周壁３ａの内周面とが対向するように、底部材２と蓋部材３とを配置する。すなわち、図２に示す状態から、矢印Ａを付して示す方向に蓋部材３を移動して、底部材２の側壁２ａを抱くように蓋部材３を底部材２に被せる。
【００５８】
次に、図２に示す状態から、矢印Ａを付して示す方向に土台紙１０を移動して、底部材２が配置されている側とは反対の蓋部材３の表面３ｂに、土台紙１０を配置する。
【００５９】
さらに、図２に示す状態から、矢印Ａを付して示す方向に模様部材４、５を移動して、底部材２が配置されている側とは反対側の蓋部材３の表面３ｂ側、すなわち土台紙１０の用面１０ａに模様部材４、５を配置する。また、柔軟性フィルム７が蓋部材３の表面３ｂの模様部材４、５を覆うように、かつリング状フィルム８が蓋部材３の表面３ｂの外周縁を覆うようにカバーフィルム６を配置する。なお、図２では、柔軟性フィルム７とリング状フィルム８とが分解した状態で示されているが、バッジ１では、上述のように、柔軟性フィルム７の蓋部材３側の周辺部にリング状フィルム８が蒸着され、柔軟性フィルム７とリング状フィルム８とが一体化されたカバーフィルム６を用いている。
【００６０】
次に、蓋部材３の外周壁３ｂとカバーフィルム６の周辺部とを変形し、リング状フィルム８が蓋部材３の外周壁３ａを覆うように、かつ底部材２と蓋部材３との間に土台紙１０の周辺部１０ａ及びカバーフィルム６の周辺部が挟持されるように、蓋部材３の外周壁３ａを底部材２にかしめ付ける。そして、柔軟性フィルム７で模様部材４、５を覆うことによって、柔軟性フィルム７の表面の一部の領域に隆起した隆起部７ａ、７ｂを形成する。このようにして、図１（ａ）〜（ｃ）に示すバッジ１を得ることができる。
【００６１】
図４（ａ）、（ｂ）に本発明の他の実施形態に係るアクセサリとしてのバッジを断面図及び斜視図で示す。なお、バッジ１と同様に構成されているところは、同一の番号を付してその説明を省略する。
【００６２】
図４（ａ）、（ｂ）に示すバッジ１１では、皿状の底部材２に変えて、環状構造を有し、かつ外周縁に立上がった側壁１２ａを有する底部材１２が用いられている。このように、底部材は、皿状もしくは板状のもので無くともよく、かしめ付けに耐え得るものであれば環状構造としてもよい。
【００６３】
なお、底部材１２には、装着手段が設けられていないが、装着手段を設ける場合には、底部材１２の内周側の側壁１２ｂ間に渡るように、安全ピンやクリップ等を固定すればよい。また、装着手段としても安全ピンやクリップは、底部材１２に固定せずともよく、蓋部材３の裏面側に固着してもよい。
【００６４】
さらに、バッジ１１では、模様部材４、５に変えて、星型の形状を有する複数の模様部材１３、１３が蓋部材３の表面３ｂ側に配置されている。各模様部材１３、１３は一定の厚みを有するが、このように模様部材は厚みの厚い肉厚部と厚みの薄い肉薄部とを有していなくてもよく、模様部材の表面に立体的な形状が付与されていなくてもよい。バッジ１１では、蓋部材３の表面３ａ側の一部の領域に複数の模様部材１３、１３が配置されていることによって、模様部材１３、１３により立体的な模様が付与されている。さらに、柔軟性フィルム７が模様部材１３、１３を覆っていることによって、バッジ１１では、柔軟性フィルム７の表面の一部の領域に隆起した隆起部１４〜１６が形成されている。
【００６５】
このように、本発明では、様々な立体的な模様を付与し得る模様部材を用いることができ、それによって、種々の意匠的効果をアクセサリに付与することができる。よって、デザイン選択の幅が広くなり、独創的でかつ意匠性が高められたアクセサリを提供することができる。
【００６６】
図５に、上述したバッジ１１を用いて構成されたキーホルダーを斜視図で示す。図５に示すキーホルダー２１では、上述したバッジ１１が取付けられている。
【００６７】
キーホルダー２１では、凹部２２ａが一方主面に形成されたホルダー本体部材２２と、凹部２２ａ内に嵌め込まれて固定されたバッジ１１と、ホルダー本体部材２２の一端に連結具２３を介して連結されたキー保持部材２４とを備えている。
【００６８】
ホルダー本体部材２２は、例えば硬質ゴムや合成樹脂などの弾性部材よりなり、一方主面に上記凹部２２ａを有する。この凹部２２ａは、バッジ１１をホルダー本体部材２２の弾性を利用して取替え可能に嵌め込み、固定するために形成されているものである。従って、通常は、バッジ１１の径よりも若干小さいか、あるいはほぼ同等の径を有する大きさに形成されている。
【００６９】
嵌め込みに際しては、凹部２２ａが上述した大きさの径とされているので、凹部２２ａの径をやや拡げる方向に力を加えつつ、バッジ１１を該凹部２２ａ内に嵌め込む。従って、嵌め込まれた状態では、ホルダー本体部材２２の弾性力により、バッジ１１は確実に該凹部２２ａに固定されている。
【００７０】
ホルダー本体部材２２の一方端には、貫通孔２２ｂに金属環よりなる連結具２３が挿通されて連結されている。そして、この連結具２３に円環状のキー保持部材２４が図示のように連結されている。キー保持部材２４の一部には切断部２４ａが形成されている。該切断部２４ａを利用してキー保持部材２４の環状部分を該切断部２４ａで分離することにより鍵に形成された孔を該キー保持部材２４に挿通させ、挿通させた後切断部２４ａを図示のように閉じた状態とすることにより、キーを保持することが可能とされる。
【００７１】
キー保持部材２４および連結具２３の部分の構造については、図５に示す構造とする必要は必ずしもなく、従来から採用されている種々の構造を適宜選択・採用することができる。例えば、キー保持部材２４をホルダー本体部材２２に直接連結してもよい。
【００７２】
また、キーホルダー２１では、ホルダー本体部材２２の形状は略直方体状に構成されているが、このようにホルダー本体部材２２の形状についても、図５に示す形状に限定されるものではない。
【００７３】
本発明では、衣類やバッグに取付けられるバッジとしてだけでなく、キーホルダーなどの種々の装飾具としてのアクセサリを提供することができる。
【図面の簡単な説明】
【００７４】
【図１】（ａ）〜（ｃ）は、本発明の一実施形態に係るアクセサリとしてのバッジを示す断面図及び斜視図。
【図２】本発明の一実施形態に係るバッジを組立てる前の各構成部材の形状を示す分解斜視図。
【図３】柔軟性フィルムの隆起部の形状が異なる変形例を示す断面図。
【図４】（ａ）、（ｂ）は、本発明の他の実施形態に係るアクセサリとしてのバッジを示す断面図及び斜視図。
【図５】図４に示すバッジを用いて構成されたキーホルダーを示す斜視図。
【図６】従来のカバーフィルムを用いたバッジにおいて、立体的な模様を付与し得る模様部材を用いた場合に、シワが発生した状態を説明するための斜視図。
【図７】従来のバッジの加工前の構成部品を分解して示す斜視図。
【図８】従来のバッジを示す断面図。
【符号の説明】
【００７５】
１…バッジ
２…底部材
２ａ…側壁
２ｂ…底面
２ｃ…金属片
３…蓋部材
３ａ…外周壁
３ｂ…表面
４、５…模様部材
４ａ、５ａ…肉厚部
４ｂ、５ｂ…肉薄部
６…カバーフィルム
７…柔軟性フィルム
７ａ、７ｂ…隆起部
７Ａ…隆起部
８…リング状フィルム
９…安全ピン
１０…土台紙
１０ａ…表面
１１…バッジ
１２…底部材
１２ａ、１２ｂ…側壁
１３…模様部材
１４〜１６…隆起部
２１…キーホルダー
２２…ホルダー本体部材
２２ａ…凹部
２２ｂ…貫通孔
２３…連結具
２４…キー保持部材
２４ａ…切断部
５１…カバーフィルム
５１ａ、５１ｂ…隆起部
５２〜５４…シワ
【図１】
2007289212.tif 000003
【図２】
2007289212.tif 000004
【図３】
2007289212.tif 000005
【図４】
2007289212.tif 000006
【図５】
2007289212.tif 000007
【図６】
2007289212.tif 000008
【図７】
2007289212.tif 000009
【図８】
2007289212.tif 000010